(57)【要約】【課題】  管理体系が部品単位のため変化していく組立て系デバイスにおいて、大量の全品質データから本体不良との因果関係を抽出するデータマイニングシステムを提供すること【解決手段】  製造工程、部品に管理番号を付与し、製造工程において部品を処理した際に、部品ロット番号に対して、製造工程番号、品質データを紐付けて登録し、また部品が組み合わさる製造工程においては、親部品ロット番号と子部品ロット番号を紐付けて登録し、その際処理データベースにおいては、親部品ロット番号に対して子部品ロット番号にそれまで紐付いている品質データを紐付け、そのデータをデータマイニング処理する。【選択図】図１
2005327024.tif 000002
【特許請求の範囲】
【請求項１】
製造工程における部品ロット番号、製造工程番号、品質データ等のデータを登録する登録処理工程と、登録されたデータを管理する処理データベースと、処理データベースにて管理されたデータをデータマイニングするデータマイニング処理工程を備えたデータマイニングシステムであって、登録処理工程では、部品ロット番号に製造工程番号、品質データ等の品質管理情報を、親部品ロット番号に子部品のロット番号を、それぞれ紐付きで登録され、処理データベースでは、親部品ロット番号に紐付いた品質データ等の品質管理情報が管理され、データマイニング処理工程では、処理データベースで管理された親部品工程から子部品工程までの全品質管理情報をデータマイニングし、その結果を表示することを特徴とするデータマイニングシステム。
【請求項２】
処理データベースでは、完成品番号に部品ロット番号、製造工程番号、品質データ等が紐付き管理され、部品ロット番号、製造工程番号、品質データを検索キーとして検索することにより、完成品番号に紐付いたデータから、データマイニング対象範囲を絞り込むことを特徴とする請求項１記載のデータマイニングシステム。
【発明の詳細な説明】
【技術分野】
【０００１】
本発明は、製品の開発段階における品質情報から製造工程の品質情報までを、一貫管理可能な製造・開発一貫品質データのデータマイニングシステムに関するものである。
【背景技術】
【０００２】
近年、半導体や液晶、電池、コンデンサなどに代表される電子デバイスは、当該電子デバイスが搭載される商品の一層の短サイクル・短命化により、商品化リードタイムの更なる短縮化が求められている。しかしながら、電子デバイス特有の課題として、リードタイムが短縮化すると製品の歩留りが目標まで達しない、また、達したとしても高位に安定しないなど品質に関わる課題が多々ある。組み立て系デバイス製品においては、様々な部品、材料が加工され、組み合わされているが、近年の精密化、高機能化により、部品、材料の品質を正確に確認することも困難で、本体検査に、前工程、子部品起因の不良がなだれこんできてしまっているのが現状である。また、歩留り改善をしようにも、部品毎のデータ管理体系の違いなどにより因果関係の把握が困難となっている
この因果関係を抽出するシステムとして、データマイニングという手法が提案されている。（例えば特許文献１参照）
このデータマイニングは、以前はマーケティングの分野で使われていた手法で、膨大なデータの中から特徴のあるデータを抽出するものであり、近年不良要因の特定にも活用されるようになっている。しかし、製造現場に適用する前提として、一つの管理番号にすべての要因項目が紐付いている必要があり、部品毎に管理体系が複雑な製造工程における組み立て系デバイスにおいては、データマイニング処理を行うためのデータの準備が困難である。
【特許文献１】特開平11−328186号公報（４頁〜５頁、実施の形態１、図１〜図４）
【発明の開示】
【発明が解決しようとする課題】
【０００３】
上述するようなシステムでは、組み立て系デバイスにおいては、前工程が起因となる不良が本体に流れ込んで、本体検査で発見されてしまうことに対して、本体発生不良と前工程部品における因果関係を抽出するデータマイニングを実施するための紐付きデータを準備することが難しかった。
【０００４】
本発明は、前記従来の課題を解決するもので、本体検査で発見された不良において、本体データ登録時に子部品までの品質情報を一連にデータマイニング処理を行うことにより、瞬時に不良の発生要因の抽出を行うデータマイニングシステムを提供することを目的とする。
【課題を解決するための手段】
【０００５】
上記の目的を達成するために、請求項１に記載されたデータマイニングシステムは、製造工程における部品ロット番号、製造工程番号、品質データ等のデータを登録する登録処理工程と、登録されたデータを管理する処理データベースと、処理データベースにて管理されたデータをデータマイニングするデータマイニング処理工程を備えたデータマイニングシステムであって、登録処理工程では、部品ロット番号に製造工程番号、品質データ等の品質管理情報を、親部品ロット番号に子部品のロット番号を、それぞれ紐付きで登録され、処理データベースでは、親部品ロット番号に紐付いた品質データ等の品質管理情報が管理され、データマイニング処理工程では、処理データベースで管理された親部品工程から子部品工程までの全品質管理情報をデータマイニングし、その結果を表示することを特徴とするデータマイニングシステムである。請求項２に記載されたデータマイニングシステムは、処理データベースでは、完成品番号に部品ロット番号、製造工程番号、品質データ等が紐付き管理され、部品ロット番号、製造工程番号、品質データを検索キーとして検索することにより、完成品番号に紐付いたデータから、データマイニング対象範囲を絞り込むことを特徴とするデータマイニングシステムである。
【０００６】
本発明は、親部品ロット番号に紐付く品質管理情報、子部品ロット番号に紐付く品質管理情報、そして親部品ロット番号と子部品ロット番号の紐付き情報より、親部品ロット番号に対して、親部品ロットの品質管理情報だけでなく、子部品ロットの品質管理情報まで紐付きで展開され、これにより、親部品情報を登録すると同時に、データベースにおいて、親部品ロット番号から親部品の品質管理情報のみならず、子部品ロット番号の品質管理情報までを一元的に紐付けて管理され、その一元データをデータマイニング処理することにより、親部品不良に対して、末端までの子部品品質管理情報の因果関係つまり特徴のある品質管理情報が抽出され、管理サーバにネットワーク接続されている端末へ瞬時に出力できることを特徴とする。
【０００７】
本発明によって、本体検査データ登録時に、本体検査で発見された不良から、末端の子部品の品質情報までを一連にデータマイニング処理を行うことができ、瞬時に要因抽出を行うデータマイニングシステムを実現できる。
【発明の効果】
【０００８】
以上のように、本発明のデータマイニングシステムによれば、本体から子部品まで管理体系が異なる品質情報をリアルタイムに一元化可能であり、本体で発生した不良において、前工程部品までの品質情報から、不良要因を瞬時に抽出可能となり、不良発生から品質改善までのリードタイムの短縮が可能となる。
【発明を実施するための最良の形態】
【０００９】
以下本発明の実施の形態について、図面を参照しながら説明する。
（実施の形態１）
図１は、本発明の実施の形態１に係る組み立て系デバイスにおけるデータマイニングプロセスとその装置の全体構成図である。
【００１０】
図１において、データマイニング装置は、管理サーバ１、処理データベース２、オペレーション端末４で構成され、これらの各構成要素は企業内および工場内LAN３により接続されている。
【００１１】
登録処理工程では、製造工程において、部品ロット５を処理・加工したときの品質データ７をオペレーション端末４より、部品ロット番号５、製造工程番号６に紐付けて登録する。製造工程において、部品が組み合わされる場合は、親部品ロット番号５−１に子部品ロット番号５−２を紐付けて登録する。
これらのデータは、データベース登録、多次元展開処理工程で、処理データベース２にて管理され、前記の通り、部品ロット番号５に製造工程番号６とそこでの品質データ７が紐付けて管理される。部品が組み合わされる製造工程においては、親部品ロット番号５−１には、そこでの品質データ７が紐付くのに加えて、登録された子部品ロット番号５−２に、それまで紐付いていた品質データ７も、親部品ロット番号５−１の品質データ７として紐付けされる。つまり、これによりその時点における一番の親部品ロット番号５−１から、一番源泉の子部品ロット番号５−２における品質データ７まで、すべての品質データが親部品ロット番号に紐付けられる。このようにして、最終的には、完成品番号に対してすべての品質データが紐付けられる。
【００１２】
この紐付けられたデータと過去に紐付けられデータも含めて、データマイニング処理工程９で、登録した親部品工程から子部品工程までの品質データのデータマイニングの処理を自動的に行い、マイニング結果表示工程１０で、マイニング結果をオペレーション端末４に表示する。ここでは、特徴のあった部品番号５、製造工程番号６とその品質管理項目を出力する。この結果により品質改善を行う。
【００１３】
このように、本実施の形態においては、製造現場において、各部品を製造していく中で品質管理すべき情報、例えば加工処理条件や計測・検査情報、使用材料ロット番号、使用設備号機番号、担当者などを、管理サーバにネットワーク接続されている端末４から部品ロット番号５に紐付けて登録し、管理サーバ内データベースでは、部品ロット番号５、製造工程番号６、品質管理情報７を紐付けて管理し、また、異なる部品が紐付く製造工程においては、その親子ロット関係を親子ロット番号を例えば５−１、５−２として登録し、管理サーバ内データベースで、部品親子ロット関係を紐付けて管理し、親部品ロット番号５−１に紐付く品質管理情報、子部品ロット番号５−２に紐付く品質管理情報、そして親部品ロット番号５−１と子部品ロット番号５−２の紐付き情報より、親部品ロット番号５−１に対して親部品ロットの品質管理情報だけでなく、子部品ロット番号５−２の品質管理情報まで紐付きにて展開され、これにより、親部品情報を登録すると同時に、管理サーバ内データベースにおいて、親部品ロット番号から親部品の品質管理情報のみならず、子部品ロットの品質管理情報までを一元的に紐付けて管理され、その一元データをデータマイニング処理工程９で、データマイニング処理することにより、親部品不良に対して末端の子部品までの因果関係、つまり特徴のある品質管理情報を抽出し、マイニング結果表示工程１０で、管理サーバにネットワーク接続されている端末４に瞬時に出力できるものである。本システムによると、組み立て系デバイス製品において、各部品を製造していく中で発生する品質情報を管理サーバが一元的に管理し、その情報を本体完成から源泉部品までを一貫して紐付け管理でき、本体完成時における不良要因を源泉工程まですべての範囲で特定できるデータマイニング可能なデータマイニングシステムを提供することができる。
【００１４】
以上のように、部品番号に対し工程番号と品質データを登録することに加え、部品が組み合わさる製造工程において、親部品番号と子部品番号の関連を登録し、その際処理データベースにおいて、親部品番号に子部品のすべての品質データを紐付けることにより、管理体系が複雑な製造工程における組み立て系デバイスにおいても、容易にデータマイニング可能なデータが準備でき、そのデータをデータマイニング処理し、その結果、特徴ある項目をオペレーション端末に表示することにより、不良発生から品質改善までのリードタイムの短縮が可能となる。
【００１５】
なお、親部品ロット番号、子部品ロット番号、製造工程番号、品質データを紐付けて処理データベース２に登録する手段は、製造工程における自動紐付けモジュールでもよい。
【００１６】
（実施の形態２）
図２は、本発明の実施の形態２に係る組み立て系デバイスにおけるデータマイニングプロセスとその装置の全体構成図である。本実施の形態は、図２に示すように、部品や製造工程、不良、日時、機種などを検索キーとして、オペレーション端末４で検索すると、処理データベース２内において、完成品番号に紐付いている品質データが絞られ、そのデータをデータマイニング処理することにより、すでに登録されている品質データにおいて、特徴のある項目が瞬時に参照できることを特徴とする。
【００１７】
図２において、管理サーバ１内の処理データベース２においては、図1に記載の製造工程から指定した部品、工程を基点に末端子部品までを対象範囲として登録された品質データが完成品番号に紐付いて管理されている。そこで、検索工程で、オペレーション端末４より、部品ロット番号、製造工程番号、不良項目、機種番号、日時などを検索キーとして検索すると、完成品番号に紐付いた全品質データ８内において、検索条件よりデータマイニング対象データ範囲が絞られる。この絞られた品質データに対して、データマイニング処理工程９で、指定された部品工程から子部品工程までの品質データのデータマイニング処理を行い、特徴のある部品、製造工程、品質管理項目を抽出し、マイニング表示工程１０で、マイニング結果をオペレーション端末４に表示する。
【００１８】
以上のように、部品、製造工程、不良情報などをキーワードに、完成品番号に紐付いている品質データからデータマイニング対象範囲の絞りこみを行い、そのデータに対してデータマイニング処理し、特徴のある項目を抽出することにより、管理体系が変化していく複雑な組み立て系デバイスにおいて、過去に登録した品質データを容易にデータマイニング可能になる。
【産業上の利用可能性】
【００１９】
本発明のデータマイニングシステムは、製造工程において管理体系が変化していく組み立て系デバイスにおいて、後工程で不良が発見された場合に、前工程まで含めた不良分析が容易に可能となり、後工程に流れ込んできた前工程起因の不良に対する不良発生要因の特定が瞬時にでき、不良の課題解決などの用途に適用できる。
【図面の簡単な説明】
【００２０】
【図１】本発明の実施の形態１を説明する組み立て系デバイスにおけるデータマイニングシステムを示す全体構成図。
【図２】本発明の実施の形態２を説明する組み立て系デバイスにおけるデータマイニングシステムを示す全体構成図。
【符号の説明】
【００２１】
１  管理サーバ
２  処理データベース
３  ＬＡＮ
４  オペレーション端末
５  部品ロット番号
６  製造工程番号
７  品質データ
８  親部品番号に紐付く全品質データ
９  データマイニング処理工程
１０  マイニング結果表示工程
【図１】
2005327024.tif 000003
【図２】
2005327024.tif 000004